(57)【要約】      （修正有）【課題】片手で簡単、迅速、円滑に、かつ、連続的、効率的にティーシャツ等をハンガに掛けることができるハンガを提供する。【解決手段】ポスト１が挟持面３ａ、３ｂを有する外ポスト３と、外ポスト３内に移動自在に挿設される内ポスト５とからなる。内ポスト５は上端部にフック７が設けられるとともに、上端面に軸方向の下方圧を受ける押圧面５ａが形成される。一対のアーム１５は基端部を外ポスト３に開閉自在に枢着され、中途部に、一端部を内ポスト５の下端部に枢着されたリンク部材９の他端部が枢着される。アーム１５が閉状態のとき、内ポスト５及びリンク部材９がアーム１５により被覆される。ハンガの支持は対向する２本の指で挟持して行い、ハンガ掛けのための動作は他の指により挟持とは直交方向に動作して行う。【選択図】図１
0003191592.tif 000002
【実用新案登録請求の範囲】
【請求項１】
フックを有するポストと、開閉自在の一対のアームとからなるハンガにおいて、
上記一対のアームは基端部を上記外ポストに開閉自在に枢着され、中途部に、一端部を内ポストの下端部に枢着されたリンク部材の他端部が枢着され、
上記ポストは外周に軸方向に直交する方向の挟持面が形成される外ポストと、該外ポスト内に移動自在に挿設される内ポストとからなり、
上記内ポストは上端部にフックが設けられるとともに、上端面に軸方向の下方圧を受ける押圧面が形成され、
上記外ポストと内ポストが相対的に移動することによりアームが開閉することを特徴とするハンガ。
【請求項２】
請求項１記載のハンガにおいて、上記アームが閉状態のとき、上記内ポスト及び上記リンク部材が該アームにより被覆されることを特徴とするハンガ。
【請求項３】
請求項１又は請求項２記載のハンガにおいて、上記内ポストには、上記アームを開状態に固定する出入自在の操作ボタンが設けられ、該操作ボタンは上記外ポストの挟持方向と同一の方向に押圧され、この押圧状態で上記内ポストが移動され、上記外ポストの係止孔から上記操作ボタンが突出することによりアームの開状態が固定されることを特徴とするハンガ。
【請求項４】
請求項１乃至請求項３のいずれか一に記載のハンガにおいて、上記フックの底部に上方圧を受ける押圧受部が形成されることを特徴とするハンガ。
【請求項５】
請求項１又は請求項２記載のハンガにおいて、上記内ポスト内に上記アームを開状態にするよう付勢されたメインスプリングが設けられることを特徴とするハンガ。
【請求項６】
請求項５記載のハンガにおいて、上記内ポストには、上記アームの開閉状態を固定する出入自在の上部操作ボタン及び下部操作ボタンが設けられ、下部操作ボタンは上記外ポストの挟持方向と同一の方向に押圧され、この押圧状態で上記内ポストが下方へ移動され、上記係止孔から上部操作ボタンが突出することによりアームの閉状態が固定され、上部操作ボタンは上記外ポストの挟持方向と同一の方向に押圧され、この押圧状態で上記内ポストが上方へ移動され、上記外ポストの係止孔から上記下部操作ボタンが突出することによりアームの開状態が固定されることを特徴とするハンガ。
【請求項７】
請求項６記載のハンガにおいて、上記操作ボタンはいずれも同一の軸に巻着されたロックばねにより付勢され、互いに対称の位置に設けられるプッシュボタンからなることを特徴とするハンガ。
【請求項８】
請求項６記載のハンガにおいて、上記上部操作ボタンは上記下部操作ボタン側の面に傾斜切欠部が設けられることを特徴とするハンガ。
【請求項９】
請求項３記載のハンガにおいて、上記操作ボタンが上面に傾斜切欠部を設けられることを特徴とするハンガ。
【請求項１０】
請求項１又は請求項２記載のハンガにおいて、上記内ポスト内に上記アームを閉状態にするよう付勢されたメインスプリングが設けられることを特徴とするハンガ。
【請求項１１】
請求項１又は請求項２記載のハンガにおいて、ハンガが鏡体からなることを特徴とするハンガ。
【請求項１２】
請求項１又は請求項２記載のハンガにおいて、上記一対のアームは長手方向に直交する断面がＵ字形状に形成され、閉状態のアームにより内ポスト及びリンク部材が被覆されることを特徴とするハンガ。
【請求項１３】
請求項１又は請求項２記載のハンガにおいて、上記アームが交換可能であることを特徴とするハンガ。
【考案の詳細な説明】
【技術分野】
【０００１】
本願考案はハンガ、とくにアームが折り畳み自在であるハンガに関する。
【背景技術】
【０００２】
被服例えばティーシャツのように頭部を貫通する開口が設けられ、前面又は後面に設けられる身頃の開閉ができないタイプの被服をハンガに吊下するには、従来、アームの一方をフック付近まで開口に深く通した後、他方のアームを開口に通して行なっていた。
【０００３】
このため、この吊下動作には必ず両手を使わざるを得ず、陳列等のために多数の被服を持った状態のまま片手で作業することができなかった。
【０００４】
また、上記のようにこの吊下動作は複雑な動作となり、迅速に行なうことができなかった。
【０００５】
さらに、不慣れな者が作業するとシャツ等被服の開口の形状を毀損することがあり、このような場合被服の商品価値を損なうという欠点があった。
【０００６】
従来の折り畳み可能なハンガの場合、片方ずつ拡開する結果、例えば、左右のアームの位置が理想状態のベストポジションにない場合、開閉するときの力がアームにアンバランスにかかることがある。このため、アームが左右非対称に拡開したり、あるいは片方のアームが開かないおそれがある。
【０００７】
このような場合、前者では吊下中の被服の変形や型崩れを誘発し、後者では両手を使ってアームの拡開をしなければならない。
【０００８】
いずれにおいても吊下作業を片手の画一的な動作により連続的に行なうことはできなかった。
【先行技術文献】
【特許文献】
【０００９】
【特許文献１】実願昭６０−３３３１０号（実開昭６３−１４０２７４号）のマイクロフィルム
【特許文献２】特開２００２−３０６３０９号公報
【特許文献３】特開２００１−２８６３８２号公報
【特許文献４】実願昭５７−１０６６３２号（実開昭５９−１０７４７号）のマクロフィルム
【特許文献５】特開平１０−７５８７３号公報
【特許文献６】実願昭６２−６４９４７号（実開昭６３−１７２３８３号）のマクロフィルム
【考案の概要】
【考案が解決しようとする課題】
【００１０】
本願考案は上記欠点を解消し、片手で簡単、迅速、円滑に、かつ、連続的、効率的にティーシャツ等をハンガに掛けることができることを目的とする。
【００１１】
またハンガの支持とハンガ掛けのための動作を確実かつ安定的にすることができることを目的とする。
【課題を解決するための手段】
【００１２】
上記目的達成のため、本願考案によるハンガは、
フックを有するポストと、開閉自在の一対のアームとからなるハンガにおいて、
上記一対のアームは基端部を上記外ポストに開閉自在に枢着され、中途部に、一端部を内ポストの下端部に枢着されたリンク部材の他端部が枢着され、
上記ポストは外周に軸方向に直交する方向の挟持面が形成される外ポストと、該外ポスト内に移動自在に挿設される内ポストとからなり、
上記内ポストは上端部にフックが設けられるとともに、上端面に軸方向の下方圧を受ける押圧面が形成され、
上記外ポストと内ポストが相対的に移動することによりアームが開閉することを特徴とする。
また、請求項１記載のハンガにおいて、上記アームが閉状態のとき、上記内ポスト及び上記リンク部材が該アームにより被覆されることを特徴とする。
また、請求項１又は請求項２記載のハンガにおいて、上記内ポストには、上記アームを開状態に固定する出入自在の操作ボタンが設けられ、該操作ボタンは上記外ポストの挟持方向と同一の方向に押圧され、この押圧状態で上記内ポストが移動され、上記外ポストの係止孔から上記操作ボタンが突出することによりアームの開状態が固定されることを特徴とする。
また、請求項１乃至請求項３のいずれか一に記載のハンガにおいて、上記フックの底部に上方圧を受ける押圧受部が形成されることを特徴とする。
また、請求項１又は請求項２記載のハンガにおいて、上記内ポスト内に上記アームを開状態にするよう付勢されたメインスプリングが設けられることを特徴とする。
また、請求項５記載のハンガにおいて、上記内ポストには、上記アームの開閉状態を固定する出入自在の上部操作ボタン及び下部操作ボタンが設けられ、下部操作ボタンは上記外ポストの挟持方向と同一の方向に押圧され、この押圧状態で上記内ポストが下方へ移動され、上記係止孔から上部操作ボタンが突出することによりアームの閉状態が固定され、上部操作ボタンは上記外ポストの挟持方向と同一の方向に押圧され、この押圧状態で上記内ポストが上方へ移動され、上記外ポストの係止孔から上記下部操作ボタンが突出することによりアームの開状態が固定されることを特徴とする。
また、請求項６記載のハンガにおいて、上記操作ボタンはいずれも同一の軸に巻着されたロックばねにより付勢され、互いに対称の位置に設けられるプッシュボタンからなることを特徴とする。
また、請求項６記載のハンガにおいて、上記上部操作ボタンは上記下部操作ボタン側の面に傾斜切欠部が設けられることを特徴とする。
また、請求項３記載のハンガにおいて、上記操作ボタンが上面に傾斜切欠部を設けられることを特徴とする。
また、請求項１又は請求項２記載のハンガにおいて、上記内ポスト内に上記アームを閉状態にするよう付勢されたメインスプリングが設けられることを特徴とする。
また、請求項１又は請求項２記載のハンガにおいて、ハンガが鏡体からなることを特徴とする。
また、請求項１又は請求項２記載のハンガにおいて、上記一対のアームは長手方向に直交する断面がＵ字形状に形成され、閉状態のアームにより内ポスト及びリンク部材が被覆されることを特徴とする。
また、請求項１又は請求項２記載のハンガにおいて、上記アームが交換可能であることを特徴とする。
【考案の効果】
【００１３】
本願考案によるハンガによれば、ハンガの支持とハンガ掛けのための動作とを分業することができる。具体的には、ハンガの支持は対向する２本の指で挟持して行い、ハンガへの掛け又は外しのための動作は他の指等で動作することにより行う。
【００１４】
ハンガの支持は対向する２本の指による外ポストの挟持となるため、ハンガの支持が安定化し、またハンガへの掛け又は外しのために行う内ポストの移動動作は、外ポストの挟持方向に直交する方向となる。このため、ハンガ支持の安定性に影響を与えずに、迅速かつ円滑に内ポストを移動させて被服をハンガに掛けることができる。
【００１５】
このようにハンガの支持とハンガへの掛け又は外しのための動作は、外ポストに対し内ポストの移動のみで行うことができ、動作する手を持ち換えることなく片手により行なうことができるから、片手にティーシャツ等をもった状態で他方の片手で連続的にハンガへの掛け又は外しをすることができる。
【００１６】
ハンガの支持とハンガへの掛け又は外しのための動作は動作方向が直交するため、各動作が他の動作に干渉せず安定化する。また、各動作が常に同一の動作となるため、各動作が簡単化する。よって、この面からも片手による被服吊下作業の簡易迅速性、連続作業性、作業の効率性に貢献することができる。
【図面の簡単な説明】
【００１７】
【図１】本願考案によるハンガの実施の形態を示し、（Ａ）は閉状態の正面図、（Ｂ）は開状態の正面図である。
【図２】図１のハンガの内部機構を示し、（Ａ）は閉状態の正面図、（Ｂ）は開状態の正面図である。
【図３】本願考案によるハンガの他の実施の形態を示し、（Ａ）は閉状態の正面図、（Ｂ）は開状態の正面図である。
【図４】図３のハンガの内部機構を示し、（Ａ）はアームが閉状態の正面図、（Ｂ）はアームが開状態の正面図である。
【図５】図１のハンガの使用方法を示す図であり、（Ａ）は第１ステップ、（Ｂ）は第２ステップ、（Ｃ）は第３ステップ及び（Ｄ）は第４ステップを各示す。
【図６】図１のハンガの他の使用方法を示す図であり、（Ａ）は第１ステップ、（Ｂ）は第２ステップ及び（Ｃ）は第３ステップを各示す。
【図７】図３のハンガの使用方法を示す図であり、（Ａ）は第１ステップ、（Ｂ）は第２ステップ、（Ｃ）は第３ステップ及び（Ｄ）は第４ステップを各示す。
【考案を実施するための形態】
【００１８】
次に、実施の形態を示す図面に基づき本願考案によるハンガをさらに詳しく説明する。なお、便宜上同一の機能を奏する部分には同一の符号を付してその説明を省略する。図１及び図２は本願考案によるハンガの第１の実施の形態を説明する。本実施の形態はハンガの開閉を手動式とした場合である。
【００１９】
ポスト１は、上下面が開放された断面略正方形状の中空枠体からなる外ポスト３と、該外ポスト３内に移動自在に嵌挿される内ポスト５からなる。
【００２０】
上記内ポスト５は、４隅を切欠し、上記外ポスト３の内面形状に対応する形状に形成された中空の正方柱体からなる。上記内ポスト５の上端部にはフック７が突設され、下端部に突設されたリンク軸１０には一対のリンク部材９が枢着される。上記内ポスト５には軸方向に摺動孔６が設けられる。
【００２１】
上記外ポスト３の上部には係止孔１１が設けられ、該係止孔１１付近の対向する周側面に挟持面３ａ、３ｂが形成される。上記係止孔１１の下方に位置する外ポスト３の対向する周側面に一対の連結部１３が設けられる。上記外ポスト３には、上記摺動孔６に摺動自在に嵌合される移動突起４が突設される。
【００２２】
一対のアーム１５は上記連結部１３に開閉自在に枢着される。上記アーム１５は、中途部にリンク部材９の上端部９ａが枢着される。該リンク部材９の下端部９ｂは上記リンク軸１０に枢着される。これにより、上記アーム１５は外ポスト３に開閉自在に連結される。
【００２３】
上記アーム１５は長手方向に直交する断面がＵ字形状に形成され、閉状態のときに、該アーム１５により移動機構をなす上記内ポスト５及び上記リンク部材９がアーム１５内に被覆される。
【００２４】
上記内ポスト５の上部には出入自在のプッシュボタン１７が設けられる。
【００２５】
該プッシュボタン１７は、線状のロックばね１９に固着され、上記外ポスト３挟持方向と同一の方向に押圧された状態で上記内ポスト５が移動することにより、上記係止孔１１から突出され、アーム１５を開状態に固定する。
【００２６】
図３及び図４は本願考案によるハンガの第２の実施の形態を説明する。本実施の形態はハンガの開閉をばねで行なう自動式とした場合である。
【００２７】
内ポスト５内において、移動突起４と内ポスト５の下端部に設けた係止突起２２の間に上記アーム１５を開状態にするよう付勢されたメインスプリング２１が設けられる。その余のポスト１の構成及びアーム１５の構成に関しては、第１の実施の形態と同様である。
【００２８】
上記内ポスト５の上部には、一対の出入自在のプッシュボタン１７ａ、１７ｂが設けられる。上記一対のプッシュボタン１７ａ、１７ｂは、ポスト１の軸方向に沿って上下の位置に設けられ、ともに同一の軸に巻着されたロックばね１９ａ、１９ｂにより付勢され、アーム１５の開状態又は閉状態を固定する。
【００２９】
上部プッシュボタン１７ａは、アーム１５の閉状態において押圧され、係止孔１１に係止された該上部プッシュボタン１７ａのロック状態を解除する。このフリー状態においてメインスプリングの力により内ポスト５が上昇する。
【００３０】
下部プッシュボタン１７ｂは、アーム１５の開状態において押圧され、係止孔１１に係止された該下部プッシュボタン１７ｂのロック状態を解除する。このフリー状態においてメインスプリングの力に抗して内ポスト５が押圧されて下降する。
【００３１】
次に図５に基づき、第１の実施の形態によるハンガの使用方法を説明する。
【００３２】
外ポスト３の対向する挟持面３ａ、３ｂを一の手の親指ａと中指ｂで挟持し、この状態で閉状態のアーム１５を、他の手でもったティーシャツ２５等の襟開口から、シャツ２５の中に入れる（図５（Ａ））。なお、アーム１５は通常閉状態にて運搬されている。
【００３３】
次いで、内ポスト５の上端部に置いた人指指ｃによりフック７の底部７ａを押し上げる（図５（Ｂ））。
【００３４】
内ポスト５の上昇に伴ないリンク部材９が拡開されるので、アーム１５が拡開される。内ポスト５が上死点にくると、プッシュボタン１７が外ポスト３の係止孔１１から突出されるので、アーム１５の開状態が固定され、ティーシャツ２５等はアーム１５に吊下される（図５（Ｃ））。なお、プッシュボタン１７が係止孔１１から突出される際、親指ａを挟持状態のまま少し浮上させ、プッシュボタン１７の突出に支障とならないようにする。
【００３５】
ティーシャツ２５等をハンガから外すには、挟持している親指ａによりプッシュボタン１７を押圧し、この状態で内ポスト５の上端部に置いた人指指ｃにより、上端部に形成された押圧面５ａを押す（図５（Ｄ））。さすれば、内ポスト５の下降に伴ないリンク部材９が内向きに閉回動するから、アーム１５が閉状態となり、ティーシャツ２５等をハンガから簡単に外すことができる。
【００３６】
図６はパイプ２７等により高所に吊下されているハンガ（図６（Ａ））に被服を懸ける場合である。この場合、一の手の中指ｂ、薬指ｅ又は子指ｆによりシャツ２５の一部（襟口付近）をもち、同じ手の親指ａと人指指ｂはフリーとした状態で、アーム１５を閉状態のまま襟口からシャツ２５の中に入れる（図６（Ｂ））。次いで親指ａと人指指ｂにより外ポスト３を引き下げれば、アーム１５が拡開されるので、シャツ２５がアーム１５に吊下される（図６（Ｃ））。
【００３７】
図６において、シャツ２５を外すには、図５（Ｄ）で述べた通常の操作と同様である。即ち、挟持している親指ａによりプッシュボタン１７を押圧し、この状態で内ポスト５の上端部に置いた人指指ｃにより、上端部に形成された押圧面５ａを押す。さすれば、内ポスト５の下降に伴ないリンク部材９が内向きに閉回動するから、アーム１５が閉状態となり、ティーシャツ２５等をハンガから簡単に外すことができる。なお、挟持している親指ａによりプッシュボタン１７を押圧しながら、他方の手でシャツ２５を下方に引張ると、シャツの重みによりアーム１５が閉回動し、人指指ｃの動作なしでもシャツ２５を外すことができる。
【００３８】
図７に基づき第２の実施の形態によるハンガの使用方法を説明する。
【００３９】
外ポスト３の対向する挟持面３ａ、３ｂを親指ａと中指ｂで挟持し、この状態で閉状態のアーム１５をティーシャツ２５等の襟開口から、シャツ２５の中に入れる（図７（Ａ））。
【００４０】
次いで、挟持している親指ａにより係止孔１１から突出されている上部プッシュボタン１７ａを押す（図７（Ａ））。
【００４１】
するとメインスプリング２１が作動し、その縮少するときの力により、移動突起４が摺動孔６に沿って移動するので、内ポスト５が連動して上昇する（図７（Ｂ））。この内ポスト５の上昇に伴ないリンク部材９が拡開されるので、アーム１５が拡開される。
【００４２】
内ポスト５が上死点にくると、下部プッシュボタン１７ｂが外ポスト３の係止孔１１から突出されるので、アーム１５の開状態が固定され、ティーシャツ２５等はアーム１５に吊下される（図７（Ｃ））。なお、下部プッシュボタン１７ｂが係止孔１１から突出される際、親指ａを挟持状態のまま少し浮上させ、下部プッシュボタン１７ｂの突出に支障とならないようにする。
【００４３】
ティーシャツ２５等をハンガから外すには、挟持している親指ａにより下部プッシュボタン１７ｂを押圧し、この状態で内ポスト５の上端部に置いた人指指ｃにより、上端部に形成された押圧面５ａをメインスプリング２１の付勢力に抗して押し下げ、メインスプリング２１を縮少状態から伸長状態にする（図７（Ｄ））。
【００４４】
さすれば、内ポスト５の下降に伴ないリンク部材９が内向きに閉回動するから、アーム１５が閉状態となり、ティーシャツ２５等をハンガから簡単に外すことができる。
【００４５】
このように上記第１及び第２の実施の形態によれば、ハンガの支持とハンガへの掛け又は外しのための動作とを分業することができるから、ティーシャツ２５等の吊下及びその解除において、ハンガを持った手を持ち換えることもなく、いずれも片手によりワンタッチで行なうことができる。
【００４６】
ハンガ１の支持は対向する２本の指による外ポスト３の挟持となるため、ハンガ１の支持が安定化し、また内ポスト５の移動動作は、挟持面３ａ、３ｂの挟持方向に直交する方向となるため、ハンガ挟持の安定性に影響を与えずに、迅速かつ円滑に内ポストを移動させることができる。
【００４７】
このようにハンガ１の支持とハンガへの掛け又は外しのための動作は、内ポスト５の移動のみで行うことができ、動作する手を持ち換えることなく片手により行なうことができるから、片手にティーシャツ２５等をもった状態で他方の片手で連続的にハンガへの掛け又は外しをすることができる。
【００４８】
ハンガ１の支持とハンガへの掛け又は外しのための各動作は他の動作に干渉せず安定化し、また各動作が常に同一の動作となるため、各動作が簡単化する。よって、この面からも片手による被服吊下作業の簡易迅速性、連続作業性、作業の効率性に貢献することができる。
【００４９】
さらに、各動作が安定化、簡易化するため、図６に示すように、ハンガをパイプ２７に吊り下げたままの状態で、ハンガを手元に持たなくともハンガへの掛け又は外しをすることができる。これは、胸より高い高所に吊り下がっているハンガに被服を掛けるときにとくに有効であり、被服吊下作業の連続作業性、作業の効率性に貢献する。
【００５０】
上記第１及び第２の実施の形態によるハンガは、正面視と背面視が鏡体に形成される。よって、作業員の利き手に関係なく、同一のハンガを使用することができる。例えば、左利きの作業員が上記実施の形態によるハンガを正面視使用し、右利きの作業員が背面視使用するが如きである。
【００５１】
ハンガを利き手用毎に分別する必要がないので、作業効率が向上する。また利き手用毎にハンガを生産する必要がないから量産に適し生産効率が向上する。
【００５２】
またアーム１５、リンク部材９、ロックばね１９、１９ａ、１９ｂ、プッシュボタン１７、１７ａ、１７ｂ等の部品が共通化できるため、部品点数減となり、組立ての容易、迅速化、コスト低下にも寄与する。
【００５３】
開閉自在の一対アーム１５を閉状態にすると、Ｕ字形状のアーム１５により、移動機構をなす内ポスト５及びリンク部材９が被覆され、コンパクト化する効果がある。
【００５４】
よって、毀損され易い移動機構部分がアーム１５によりカバーされるので、ハンガ寿命の長期化に寄与する。また、ハンガ形状が棒状に形成されるため、ハンガの運搬を容易かつ大量に行なうことができ、また携行や保管にも便利である。
【００５５】
上記第１及び第２の実施の形態によるハンガは、各部品を組み立てて製作するため、部品の交換が容易である。また第１実施の形態によるハンガと第２実施の形態によるハンガの各部品は共通化されているため、第１実施の形態による手動式ハンガにメインスプリング２１、ロックばね１９ａ及び上部プッシュボタン１７ａを追加すれば、第２実施の形態による自動式ハンガに簡単に変更することができる。
【００５６】
アーム１５のみを交換することにより、例えば、子供用ハンガや、キャラクタデザインとしたハンガとすることができ、多種多様なニーズに応えることができる。子供用ハンガとする場合、子供に組み立てさせることとすれば、可動式という玩具的要素とキャラクタデザインの要素が相乗することにより、子供の興味を刺激することができる。
【００５７】
第１実施の形態のプッシュボタン１７の上面及び第２実施の形態の上部プッシュボタン１７ａの下面に傾斜切欠部が設けられているため、移動動作の円滑性に寄与するとともに、アームの開状態、閉状態のロックが確実となる効果がある。
【００５８】
本願考案は上記した実施の形態に限定されることはない。例えば、ポスト１の形状については、内ポストが外ポストに対し移動自在に嵌挿可能なものであれば任意である。例えば外ポスト及び内ポストをいずれも円形に形成することができ、また他の多角柱形状に形成することができる。さらに外ポスト及び内ポストの横幅を拡大して形成することができる。
【００５９】
アーム１５に関し、アーム１５が長手方向に伸長可能に形成することもできる。
【００６０】
メインスプリングに関し、メインスプリングが押しばねからなり、アーム１５を閉状態にするよう付勢することもできる。
【００６１】
操作ボタンに関し、操作ボタンの形状は例えば断面半円形であってもよい。とくに第２実施の形態の下部プッシュボタン１７ｂは断面半円形にしてもよい。
【産業上の利用可能性】
【００６２】
本願考案はハンガに活用することができる。
【符号の説明】
【００６３】
１      ポスト
３      外ポスト
３ａ    挟持面
３ｂ    挟持面
４      移動突起
５      内ポスト
５ａ    押圧面
６      摺動孔
７      フック
７ａ    底部
９      リンク部材
９ａ    上端部
９ｂ    下端部
１０    リンク軸
１１    係止孔
１３    連結部
１５    アーム
１７    プッシュボタン
１７ａ  上部プッシュボタン
１７ｂ  下部プッシュボタン
１９    ロックばね
１９ａ  ロックばね
１９ｂ  ロックばね
２１    メインスプリング
２２    係止突起
２５    シャツ
【図１】
0003191592.tif 000003
【図２】
0003191592.tif 000004
【図３】
0003191592.tif 000005
【図４】
0003191592.tif 000006
【図５】
0003191592.tif 000007
【図６】
0003191592.tif 000008
【図７】
0003191592.tif 000009